(57)【特許請求の範囲】
【請求項１】
農作業を行なう作業者に対して指導を行なう際の優先度を設定するための装置であって、
指導対象となる単位毎に、農作業の成果に関するデータとして、予め設定された目標値とのズレ、予め算出された平均値とのズレ、異常状態の発生の有無を表す値、及び前記成果に影響を与える指標の予想値とのズレ、のうち少なくとも１つを取得する、データ取得部と、
ルールとして、前記データ取得部によって取得された値とそれに対応する重み係数とから優先度を算出する式を用い、前記単位毎に、取得された前記データを前記ルールに当てはめて、前記優先度を設定する、優先度設定部と、
前記優先度に対して変更が行なわれた場合に、変更後の優先度に合わせて、前記重み係数を補正する、補正処理部と、
を備えていることを特徴とする優先度設定装置。
【請求項２】
前記補正処理部が、前記ルールとして用いた式、変更前の優先度、及び変更後の優先度を用いた、最小二乗法によって、前記重み係数を補正する、
請求項１に記載の優先度設定装置。
【請求項３】
指導対象となる前記単位が、前記作業者、圃場、又は圃場の区間である、
請求項１または２に記載の優先度設定装置。
【請求項４】
農作業を行なう作業者に対して指導を行なう際の優先度を設定するための方法であって、
（ａ）コンピュータによって、指導対象となる単位毎に、農作業の成果に関するデータとして、予め設定された目標値とのズレ、予め算出された平均値とのズレ、異常状態の発生の有無を表す値、及び前記成果に影響を与える指標の予想値とのズレ、のうち少なくとも１つを取得する、ステップと、
（ｂ）前記コンピュータによって、ルールとして、前記（ａ）のステップによって取得された値とそれに対応する重み係数とから優先度を算出する式を用い、前記単位毎に、取得された前記データを前記ルールに当てはめて、前記優先度を設定する、ステップと、
（ｃ）前記コンピュータによって、前記優先度に対して変更が行なわれた場合に、変更後の優先度に合わせて、前記重み係数を補正する、ステップと、
を有することを特徴とする優先度設定方法。
【請求項５】
前記（ｃ）のステップにおいて、前記ルールとして用いた式、変更前の優先度、及び変更後の優先度を用いた、最小二乗法によって、前記重み係数を補正する、
請求項４に記載の優先度設定方法。
【請求項６】
指導対象となる前記単位が、前記作業者、圃場、又は圃場の区間である、
請求項４または５に記載の優先度設定方法。
【請求項７】
コンピュータによって、農作業を行なう作業者に対して指導を行なう際の優先度を設定するためのプログラムであって、
前記コンピュータに、
（ａ）指導対象となる単位毎に、農作業の成果に関するデータとして、予め設定された目標値とのズレ、予め算出された平均値とのズレ、異常状態の発生の有無を表す値、及び前記成果に影響を与える指標の予想値とのズレ、のうち少なくとも１つを取得する、ステップと、
（ｂ）ルールとして、前記（ａ）のステップによって取得された値とそれに対応する重み係数とから優先度を算出する式を用い、前記単位毎に、取得された前記データを前記ルールに当てはめて、前記優先度を設定する、ステップと、
（ｃ）前記優先度に対して変更が行なわれた場合に、変更後の優先度に合わせて、前記重み係数を補正する、ステップと、
を実行させるプログラム。
【請求項８】
前記（ｃ）のステップにおいて、前記ルールとして用いた式、変更前の優先度、及び変更後の優先度を用いた、最小二乗法によって、前記重み係数を補正する、
請求項７に記載のプログラム。
【請求項９】
指導対象となる前記単位が、前記作業者、圃場、又は圃場の区間である、
請求項７または８に記載のプログラム。
【発明の詳細な説明】
【技術分野】
【０００１】
本発明は、農作業を行なう作業者に対して指導を行なう際の優先度の設定を支援するための、優先度設定装置、優先度設定方法、及びこれらを実現するめのプログラムに関する。
【背景技術】
【０００２】
現在、農産物の各産地では、産地内の農家が、一定以上の品質を保つことができるように、農協又は地方自治体等の指導員が各農家を指導することが実施されている（例えば、特許文献１及び２参照）。また、近年、各地で多数の農業法人が設立されているが、このような農業法人では、一定以上の品質を保つために、実際の農作業を行なう作業員（従業員）に対して、管理者による指導及び管理が行なわれている。また、このような農業法人においては、指導及び管理の単位が作業員または作業員のグループである場合だけでなく、圃場又は区画である場合もある。
【０００３】
ところで、農協等の指導員の数は、農家の数に比べて少なく、一人の指導員が２００件程度の農家を受け持っているケースもある。このため、指導員は、担当する農家それぞれの現状などを考慮して、各農家に優先度を設定し、優先度の高い農家から順に指導を行なう必要がある。また、農業法人においても、管理者の数は作業員の数に比べて少なく、管理者は、優先度を設定して、作業員を指導する必要がある。そして、農業法人において、管理者は、多くの圃場又は区画を管理し、圃場又は区画の状況に応じて優先度を設定して作業員に指示を出す必要がある。
【先行技術文献】
【特許文献】
【０００４】
【特許文献１】特開２００６−２７７３２１号公報
【特許文献２】特開２００６−１４６６５６号公報
【発明の概要】
【発明が解決しようとする課題】
【０００５】
しかしながら、指導員が担当する農家全ての現状を考慮して優先度を設定したり、多くの圃場や区画を管理する管理者が全区画の現状を考慮して優先度を設定したりすることは複数の判断基準を組み合わせて判断しなければならないために簡単ではない。例えば、作物の成長度合いが遅れているというのは一つの判断基準であるが、施肥などの作業をした上で成長が遅れているのか、作業をしていないために遅れているのかということも判断基準となる。加えて、その年の気象条件によって全体的に成長が遅れている場合には成長度合い以外の判断基準を優先することもありうる。
【０００６】
このように、優先度の設定においては、複数の判断基準を組み合わせて判断を行なう必要があるが、それぞれの判断基準をどれくらい重視して判断しているかは、指導員及び管理者にとって必ずしも明確ではない。そのために、指導員又は管理者が本来ならば指導および管理すべき対象を見逃してしまう、という問題が発生する。
【０００７】
本発明の目的の一例は、上記問題を解消し、農作業において指導を行なう者が重視すべき判断基準を推定して、優先的に指導すべき対象の見逃し及び見落としを抑制し得る、優先度設定装置、優先度設定方法、及びプログラムを提供することにある。
【課題を解決するための手段】
【０００８】
上記目的を達成するため、本発明の一側面における優先度設定装置は、農作業を行なう作業者に対して指導を行なう際の優先度を設定するための装置であって、
指導対象となる単位毎に、農作業の成果に関するデータを取得する、データ取得部と、
前記単位毎に、取得された前記データを予め設定されたルールに当てはめて、前記優先度を設定する、優先度設定部と、
前記優先度に対して変更が行なわれた場合に、変更後の優先度に合わせて、前記ルールを補正する、補正処理部と、
を備えていることを特徴とする。
【０００９】
また、上記目的を達成するため、本発明の一側面における優先度設定方法は、農作業を行なう作業者に対して指導を行なう際の優先度を設定するための方法であって、
（ａ）指導対象となる単位毎に、農作業の成果に関するデータを取得する、ステップと、
（ｂ）前記単位毎に、取得された前記データを予め設定されたルールに当てはめて、前記優先度を設定する、ステップと、
（ｃ）前記優先度に対して変更が行なわれた場合に、変更後の優先度に合わせて、前記ルールを補正する、ステップと、
を有することを特徴とする。
【００１０】
更に、上記目的を達成するため、本発明の一側面におけるプログラムは、コンピュータによって、農作業を行なう作業者に対して指導を行なう際の優先度を設定するためのプログラムであって、
前記コンピュータに、
（ａ）指導対象となる単位毎に、農作業の成果に関するデータを取得する、ステップと、
（ｂ）前記単位毎に、取得された前記データを予め設定されたルールに当てはめて、前記優先度を設定する、ステップと、
（ｃ）前記優先度に対して変更が行なわれた場合に、変更後の優先度に合わせて、前記ルールを補正する、ステップと、
を実行させることを特徴とする。
【発明の効果】
【００１１】
以上のように本発明によれば、農作業において指導を行なう者が重視すべき判断基準を推定して、優先的に指導すべき対象の見逃し及び見落としを抑制することができる。
【図面の簡単な説明】
【００１２】
【図１】図１は、本発明の実施の形態１における優先度設定装置の概略構成を示すブロック図である。
【図２】図２は、本発明の実施の形態１における優先度設定装置の構成を具体的に示すブロック図である。
【図３】図３は、設定された優先度の初期状態と変更後の状態との一例を示す図であり、図３（ａ）は初期状態を示し、図３（ｂ）は変更後の状態を示している。
【図４】図４は、本発明の実施の形態１における優先度設定装置の優先度設定処理時の動作を示すフロー図である。
【図５】図５は、本発明の実施の形態１における優先度設定装置のルール補正処理時の動作を示すフロー図である。
【図６】図６は、本発明の実施の形態２における優先度設定装置の構成を具体的に示すブロック図である。
【図７】図７は、本発明の実施の形態２における優先度設定装置の優先度設定処理時の動作を示すフロー図である。
【図８】図８は、本発明の実施の形態１及び２における優先度設定装置を実現するコンピュータの一例を示すブロック図である。
【発明を実施するための形態】
【００１３】
（実施の形態１）
以下、本発明の実施の形態１における、優先度設定装置、優先度設定方法、及びプログラムについて、図１〜図５を参照しながら説明する。
【００１４】
［装置構成］
最初に、本発明の実施の形態１における優先度設定装置の概略構成について図１を用いて説明する。図１は、本発明の実施の形態１における優先度設定装置の概略構成を示すブロック図である。
【００１５】
図１に示す本実施の形態１における優先度設定装置１０は、農作業を行なう作業者に対して指導を行なう際の優先度を設定するための装置である。図１に示すように、優先度設定装置１０は、データ取得部１１と、優先度設定部１２と、補正処理部１３とを備えている。
【００１６】
このうち、データ取得部１１は、指導対象となる単位毎に、農作業の成果に関するデータ（以下「成果データ」と表記する。）を取得する。指導対象となる単位としては、農作業を行なう作業者、圃場、圃場に設定された区間等が挙げられる。また、農作業を行なう作業者としては、農家自身、農業法人の従業員等が挙げられる。
【００１７】
優先度設定部１２は、指導対象となる単位毎に、取得されたデータを予め設定されたルールに当てはめて、優先度を設定する。また、補正処理部１３は、優先度に対して変更が行なわれた場合、例えば、指導を行なう者が、実際の状況等に応じて、設定された優先度を変更した場合に、変更後の優先度に合わせて、ルールを補正する。
【００１８】
このように、本実施の形態１では、設定されたルールに基づいて、作業者等毎に、指導の際の優先度が設定されるが、この優先度が変更されると、次の優先度の設定において、変更後の優先度が反映されるようにルールが補正される。つまり、様々な状況に応じて、指導を行なう者が、設定されたルールから外れた判断基準に基づいて、ある作業者の優先度を高めた場合は、この判断基準が重視すべきであると推定され、この推定に沿ってルールが補正される。このように、本実施の形態１によれば、農作業において指導を行なう者が重視すべき判断基準が推定されるので、優先的に指導すべき対象の見逃し及び見落としが抑制されることになる。
【００１９】
続いて、図２を用いて、本実施の形態１における優先度設定装置１０の構成について更に具体的に説明する。図２は、本発明の実施の形態１における優先度設定装置の構成を具体的に示すブロック図である。
【００２０】
また、図２の例では、農作業を行なう作業者は「農家」であり、指導を行なう者は「指導員」であるとするが、本実施の形態１において、作業者及び指導を行なう者は、特に限定されない。作業員は、農業法人における従業員であっても良く、この場合、指導を行なう者は、農業法人の管理者となる。
【００２１】
図２に示すように、本実施の形態１において、優先度設定装置１０は、インターネット等のネットワーク（図２において図示せず）を介して、農家の端末装置２０と指導員の端末装置３０とに接続されている。なお、図２の例では、１つの農家の端末装置２０のみが図示されているが、実際は、指導を受ける農家の数が複数であるため、それに対応して端末装置２０の数も複数である。
【００２２】
そして、この態様により、本実施の形態１では、データ取得部１１によるデータの取得は、農家の端末装置２０を対象に行なわれる。また、優先度設定部１２によって設定された優先度は、指導員の端末装置３０に送信される。更に、優先度の変更は、指導員によって端末装置３０を介して行なわれる。
【００２３】
データ取得部１１は、本実施の形態１では、各農家の端末装置２０から送信された成果データを取得する。また、各端末装置２０から送信されてくる成果データの例としては、予め設定された目標値とのズレ、予め算出された平均値とのズレ、異常状態の発生の有無を表す値、及び成果に影響を与える指標（降水量、日照時間等）の予想値とのズレが、挙げられる。データ取得部１１は、これらのデータのうちの少なくとも１つを、成果データとして取得する。
【００２４】
上述したデータのうち、予め設定された目標値とのズレの具体例としては、農家で収穫された果実の糖度、酸度、大きさといった項目毎の目標値からのズレが挙げられる。目標値は、農家自身、農協、又は集荷場等によって予め設定される。また、予め算出された平均値とのズレの具体例としては、農家で収穫された果実の糖度、酸度、大きさといった項目毎の平均値からのズレが挙げられる。平均値は、例えば、農協、集荷場等で過去の実績に基づいて予め算出される。更に、成果に影響を与える指標の予想値とのズレの具体例としては、降水量、日照時間、気温、湿度といった指標毎の実際の値の予測値からのズレが挙げられる。また、本実施の形態１では、「ズレ」は、ズレは、０〜１の範囲で正規化した値で表現される。
【００２５】
また、上述したデータのうち、異常状態の発生の有無を表す値の具体例としては、特定の項目について、Ｙｅｓである場合を「１」、Ｎｏである場合を「０」とした場合の、１又は０の値が挙げられる。特定の項目の具体例としては、「成績が下がっている、下がり傾向である」、「昨年より下がっている」、「やるべき作業をやっている（作業時間が多い）はずなのに上がっていない」、「やるべき作業をやっていない」、「他の人より作業が遅れている」、「指導したが改善してない」、「これまでにあまり指導を受けていない」、「急に上がりすぎ」、「他より作業が少ないのに成績がよい」等が挙げられる。
【００２６】
また、本実施の形態１では、優先度設定装置１０は、農産物の糖度及び酸度を測定する測定装置とネットワークを介して接続されていても良い。この場合、データ取得部１１は、測定装置から送信されてきた農産物のデータから、目標値とのズレ、及び平均値とのズレを算出することができる。
【００２７】
優先度設定部１２は、本実施の形態では、ルールとして、データ取得部１１によって取得された値とそれに対応する重み係数とから優先度Ｅを算出する式を用い、単位毎に、優先度を算出する。また、本実施の形態１では、ルールは、優先度設定装置１０が備えるルール記憶部１４に格納されている。
【００２８】
優先度Ｅの算出式の具体例としては、下記の数１〜数５が挙げられる。また、下記の数１〜数５は、下記の数６に置き換えることができる。下記の数１〜数６において、Xaiは項目毎の目標値とのズレ（０≦Xai≦１）を示し、Xbiは項目毎の平均値とのズレ（０≦Xbi≦１）を示している。また、Xciは、項目毎の異常状態の有無を表す値（０又は１）を示し、Xdiは、指標毎の予測値とのズレ（０≦Xdi≦１）を示している。また、Wai、Wbi、Wci、Wdiは、各成果データの項目毎の重み係数を示している。更に、W1〜W4は成果データ毎の重み係数を示している。なお、W0は、切片である。また、全ての重み係数の初期値は「１」に設定されている。
【００２９】
【数１】
0006516282.tif 000002
【００３０】
【数２】
0006516282.tif 000003
【００３１】
【数３】
0006516282.tif 000004
【００３２】
【数４】
0006516282.tif 000005
【００３３】
【数５】
0006516282.tif 000006
【００３４】
【数６】
0006516282.tif 000007
【００３５】
そして、上記の数１〜数５（数６）に示した算出式がルールとして用いられる場合、補正処理部１３は、優先度に対して変更が行なわれた場合に、変更後の優先度に合わせて、重み係数Wai、Wbi、Wci、Wdi、W0、W1、W2、W3、及びW4のいずれか又は全部を補正する。具体的には、補正処理部１３は、上記数１〜数５（数６）、変更前の優先度、及び変更後の優先度を用いた、最小二乗法によって、重み係数を補正する。
【００３６】
ここで、補正処理部１３による処理の具体例を、図３を用いて説明する。図３は、設定された優先度の初期状態と変更後の状態との一例を示す図であり、図３（ａ）は初期状態を示し、図３（ｂ）は変更後の状態を示している。なお、下記では、説明を分かり易くするため、W1〜W4を補正する場合についてのみ説明する。
【００３７】
図３（ａ）に示すように、まず、初期状態では、W0=0、W1=W2=W3=W4=1に設定されているとすると、この場合の各農家（ID: 0001〜0005）の優先度が、図３（ａ）に示すように算出される。そして、この状態で、指導員がID=0003の農家を指導すべきと判断したとする。この場合、例えば、図３（ｂ）に示すように、ID=0003の農家の優先度に1.0をプラスし、残りの農家の優先度から0.1をマイナスする。優先度をプラスマイナスする値は一例である。この場合、補正処理部１３は、下記の数７を用いて、Yの値が最小値となるように、W0、W1、W2、W3、及びW4を算出する。
【００３８】
【数７】
0006516282.tif 000008
【００３９】
そして、補正処理部１３は、算出したW0、W1、W2、W3、及びW4を、上記数１（数６）に代入し、得られた数１（数６）を補正後のルールとする。具体的には、補正処理部１３は、算出したW0、W1、W2、W3、及びW4を用いて、ルール記憶部１４に格納されている式を更新する。
【００４０】
なお、図３の例では、初期の状態では、W0の値は「０」、W1〜W4それぞれの値は「１」に設定されているが、本実施の形態１は、この例に限定されるものではない。
【００４１】
［装置動作］
続いて、本発明の実施の形態１における優先度設定装置１０の動作について図４及び図５を用いて説明する。以下の説明においては、適宜図１〜図３を参酌する。また、本実施の形態１では、優先度設定装置１０を動作させることによって、優先度設定方法が実施される。よって、本実施の形態１における優先度設定方法の説明は、以下の優先度設定装置１０の動作説明に代える。
【００４２】
先ず、図４を用いて優先度設定処理について説明する。図４は、本発明の実施の形態１における優先度設定装置の優先度設定処理時の動作を示すフロー図である。
【００４３】
図４に示すように、最初に、データ取得部１１は、各農家の端末装置２０から成果データを取得する（ステップＡ１）。具体的には、各農家は、端末装置２０を介して、成果データを定期的に送信しているので、データ取得部１１は、送信されてきた成果データを受信する。また、データ取得部１１は、取得した成果データを優先度設定部１２に受け渡す。
【００４４】
次に、優先度設定部１２は、ルール記憶部１４から、ルールを抽出し、抽出したルールに、受け渡された成果データを適用して、農家毎に、優先度を設定する（ステップＡ２）。具体的には、優先度設定部１２は、農家毎に、成果データを上記数１〜数５（数６）に代入し、優先度Ｅを算出する。
【００４５】
その後、優先度設定部１２は、ステップＡ２で設定した優先度を、指導員の端末装置３０に送信する（ステップＡ３）。これにより、指導員は、自身が受け持つ各農家の優先度を知ることになる。
【００４６】
次いで、図５を用いてルールの補正処理について説明する。図５は、本発明の実施の形態１における優先度設定装置のルール補正処理時の動作を示すフロー図である。
【００４７】
図５に示すように、最初に、補正処理部１３は、優先度について変更が行なわれているかどうかを判定する（ステップＢ１）。具体的には、補正処理部１３は、指導員が、端末装置３０を介して、優先度の変更を通知しているかどうかを判定する。
【００４８】
ステップＢ１の判定の結果、優先度について変更が行なわれていない場合は、補正処理部１３は待機状態となる。一方、ステップＢ１の判定の結果、優先度について変更が行なわれている場合は、補正処理部１３は、ルール記憶部１４から、格納されているルールを抽出する（ステップＢ２）。
【００４９】
次に、補正処理部１３は、変更後の優先度に基づいて、ルールの重み係数を算出し直す（ステップＢ３）。具体的には、補正処理部１３は、上記数７に、変更後の優先度を代入して、上記数７におけるＹを最小とする重み係数を算出する。
【００５０】
その後、補正処理部１３は、ステップＢ３で算出した重み係数を用いて、ルール記憶部１４に格納されているルールを更新する（ステップＢ４）。従って、ステップＢ４の後に、図４に示したステップＡ２が実行される場合は、更新されたルールを用いて優先度が算出されることになる。
【００５１】
以上のように、本実施の形態１によれば、指導員又は管理者等が、状況に応じて、設定されたルールから外れた判断基準に基づいて、特定の農家の優先度を上げた場合は、この判断基準が重視されるようにルールが更新される。つまり、ルールは、更新によって、そのときに重視すべき判断基準が考慮されたものとなる。よって、次の優先度の設定の際には、更新されたルールが用いられるので、優先的に指導すべき対象を見逃したり、見落としたり、といった事態が回避されることになる。
【００５２】
［プログラム］
本実施の形態１におけるプログラムは、コンピュータに、図４に示すステップＡ１〜Ａ３、図５に示すステップＢ１〜Ｂ４を実行させるプログラムであれば良い。このプログラムをコンピュータにインストールし、実行することによって、本実施の形態１における優先度設定装置１０と優先度設定方法とを実現することができる。この場合、コンピュータのＣＰＵ（Central Processing Unit）は、データ取得部１１、優先度設定部１２、及び補正処理部１３として機能し、処理を行なう。
【００５３】
（実施の形態２）
次に、本発明の実施の形態２における、優先度設定装置、優先度設定方法、及びプログラムについて、図６及び図７について、図面を参照しながら説明する。
【００５４】
［装置構成］
最初に、本発明の実施の形態２における優先度設定装置の構成について図６を用いて説明する。図６は、本発明の実施の形態２における優先度設定装置の構成を具体的に示すブロック図である。
【００５５】
図６に示すように、本実施の形態２における優先度設定装置４０は、データ取得部４１と、優先度設定部４２と、補正処理部４３と、ルール記憶部４４と、活動データ取得部４５と、活動データ記憶部４６とを備えている。
【００５６】
これらのうち、優先度設定部４２、補正処理部４３、及びルール記憶部４４は、それぞれ、図２に示した優先度設定部１２、補正処理部１３、及びルール記憶部１４と同様に構成され、同様の機能を備えているので、これらについての説明は省略する。以下、実施の形態１と相違点を中心に説明する。
【００５７】
まず、本実施の形態２においては、各農家は、端末装置２０を介して、優先度設定装置４０に対して、自身の活動データを送信する。活動データには、例えば、目標値、作業記録（作業の実行日時、実行場所、作業の名称等）、農産物の測定データ（糖度、酸度、大きさ、収穫量等）、指導記録等が含まれている。
【００５８】
活動データ取得部４５は、端末装置２０から送信されてきた活動データを取得し、これを活動データ記憶部４６に記憶させる。また、データ取得部４１は、実施の形態１におけるデータ取得部１１と異なり、活動データ記憶部４６に記憶されている活動データから、成果データを取得する。なお、本実施の形態２においても、成果データとしては、予め設定された目標値とのズレ、予め算出された平均値とのズレ、異常状態の発生の有無を表す値、及び成果に影響を与える指標の予想値とのズレが、挙げられる。
【００５９】
具体的には、データ取得部４１は、活動データに含まれる目標値と測定データとから、目標値とのズレを算出する。また、データ取得部４１は、各農家の活動データに含まれる測定データから、平均値を算出し、算出した平均値と測定データとから平均値とのズレを算出する。更に、データ取得部４１は、作業記録と指導記録とを照合して、特定の項目についてのＹｅｓ又はＮｏを判定し、その判定結果から、異常状態の発生の有無を表す値を取得する。
【００６０】
また、データ取得部４１は、圃場又は栽培用のハウス等に設置されたセンサーが出力したデータから、降水量、日照時間等のデータを取得することができる。この場合、データ取得部４１は、取得したデータと過去に蓄積されたデータとを比較することによって、成果に影響を与える指標の予想値とのズレを算出する。
【００６１】
また、本実施の形態２においても、優先度設定装置４０は、農産物の糖度及び酸度を測定する測定装置とネットワークを介して接続されていても良い。この場合、データ取得部４１は、測定装置から送信されてきた農産物のデータから、目標値とのズレ、及び平均値とのズレを算出することができる。
【００６２】
なお、本実施の形態２においても、農作業を行なう作業者が「農家」であり、指導を行なう者が「指導員」である場合について説明しているが、実施の形態１と同様に、作業者及び指導を行なう者は、特に限定されない。本実施の形態２においても、作業員は、農業法人における従業員であっても良く、この場合、指導を行なう者は、農業法人の管理者となる。
【００６３】
［装置動作］
続いて、本発明の実施の形態２における優先度設定装置４０の動作について図７を用いて説明する。図７は、本発明の実施の形態２における優先度設定装置の優先度設定処理時の動作を示すフロー図である。なお、ルールの補正処理については、実施の形態１と同様であるため、説明を省略する。
【００６４】
また、以下の説明においては、適宜図６を参酌する。更に、本実施の形態２では、優先度設定装置４０を動作させることによって、優先度設定方法が実施される。よって、本実施の形態２における優先度設定方法の説明は、以下の優先度設定装置４０の動作説明に代える。
【００６５】
図７に示すように、最初に、データ取得部１１は、活動データ記憶部４６から、各農家の活動データを取得し、取得した活動データから、成果データを取得する（ステップＡ１１）。また、成果データとして、成果に影響を与える指標の予想値とのズレが必要となる場合は、データ取得部４１は、外部のデータベースにアクセスして必要なデータを取得する。更に、データ取得部４１は、取得した成果データを優先度設定部４２に受け渡す。
【００６６】
次に、優先度設定部４２は、ルール記憶部４４から、ルールを抽出し、抽出したルールに、受け渡された成果データを適用して、農家毎に、優先度を設定する（ステップＡ１２）。
【００６７】
その後、優先度設定部４２は、ステップＡ１２で設定した優先度を、指導員の端末装置３０に送信する（ステップＡ１３）。これにより、指導員は、自身が受け持つ各農家の優先度を知ることになる。なお、ステップＡ１２及びＡ１３は、それぞれ、図４に示したステップＡ２及びＡ３と同様のステップである。
【００６８】
以上のように、本実施の形態２によれば、各農家は、活動データを送信するだけで良く、成果データを自ら作成して送信する必要がない。このため、農家による成果データの送信が滞っている事態を回避でき、優先度設定装置においては、確実に成果データを取得できるので、実施の形態１に比べてより正確な優先度を設定できる。
【００６９】
［プログラム］
本実施の形態２におけるプログラムは、コンピュータに、図７に示すステップＡ１１〜Ａ１３、図５に示すステップＢ１〜Ｂ４を実行させるプログラムであれば良い。このプログラムをコンピュータにインストールし、実行することによって、本実施の形態２における優先度設定装置４０と優先度設定方法とを実現することができる。この場合、コンピュータのＣＰＵ（Central Processing Unit）は、データ取得部４１、優先度設定部４２、補正処理部４３、及び活動データ取得部４５として機能し、処理を行なう。
【００７０】
（物理構成）
ここで、実施の形態１及び２におけるプログラムを実行することによって、優先度設定装置を実現するコンピュータについて図８を用いて説明する。図８は、本発明の実施の形態１及び２における優先度設定装置を実現するコンピュータの一例を示すブロック図である。
【００７１】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００７２】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７３】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００７４】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００７５】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【産業上の利用可能性】
【００７６】
以上のように本発明によれば、農作業を行なう作業者に対して指導を行なう際の優先度の設定において、効率の良い指導と柔軟な対応とを両立することができる。本発明は、農業分野において有用である。
【符号の説明】
【００７７】
１０  優先度設定装置（実施の形態１）
１１  データ取得部
１２  優先度設定部
１３  補正処理部
１４  ルール記憶部
２０  農家の端末装置
３０  指導員の端末装置
４０  優先度設定装置（実施の形態２）
４１  データ取得部
４２  優先度設定部
４３  補正処理部
４４  ルール記憶部
４５  活動データ取得部
４６  活動データ記憶部
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
0006516282.tif 000009
【図２】
0006516282.tif 000010
【図３】
0006516282.tif 000011
【図４】
0006516282.tif 000012
【図５】
0006516282.tif 000013
【図６】
0006516282.tif 000014
【図７】
0006516282.tif 000015
【図８】
0006516282.tif 000016